(57)【要約】【課題】  使用者の体形、状態に合わせておむつの濡れ検知部分を自由に設定することが可能であり、どのタイプのおむつ類や下着、衣類等にも利用できる小型で使い勝手が良く、使用者の経済的負担の少ないおむつの濡れ検知センサーの実現が求められている。【解決手段】おむつの濡れ検知センサーが独立した取り付け型とすることによりおむつの濡れを検知したい部分にセンサーを、おむつ類・下着類・衣類等、種類を問わず、センサーを取り付けができる様にして家族内及び病院等で看護人が容易に判明することができる安価な使い捨てのおむつの濡れ検知装置を実現したものである。【選択図】              図１
2010172426.tif 000002
【特許請求の範囲】
【請求項１】
不織紙、布等の吸水性の良い布又は紙材よりなるテープ状の長方型のセンサー基布、
該センサーの基布の上面全体に塗布された粘着材、
検出器まで接続するに充分な長さに設定されているセンサー基布に装着されたセンサー導線、
該センサー導線に接続されセンサー基布に装着されたセンサー電極、
センサー導線の一端に接続されているコネクター、
センサー基布に装着されたセンサー導線とセンサー電極の上面に剥離可能に貼り付けられたハクリ紙、
よりなるおむつの濡れ検知センサー。
【請求項２】
不織紙、布等の吸水性の良い布又は紙材よりなるテープ状の長方型のセンサー基布、
該センサーの基布の上面全体に塗布された粘着材、
検出器まで接続するに充分な長さに設定されているセンサー基布に装着された２本のセンサー導線と１本の共通導電線、
該２本のセンサー導線と１本の共通導電線に夫々個別に接続されセンサー基布に装着された複数のセンサー電極、
前記２本のセンサー導線と１本の共通導電線の一端に接続されているコネクター、
センサー基布に装着された前記２本のセンサー導線と１本の共通導電線センサー導線と複数のセンサー電極の上面に剥離可能に貼り付けられたハクリ紙、
よりなるおむつの濡れ検知センサー。
【請求項３】
請求項１において、センサー導線は細い被服導線を使用することを特長とするおむつの濡れ検知センサー。
【請求項４】
請求２において、２本のセンサー導線と１本の共通導電線は細い被服導線を使用することを特長とするおむつの濡れ検知センサー。
【発明の詳細な説明】
【技術分野】
【０００１】
本発明は、おむつが濡れた場合にこれを検知して信号を発生するおむつの濡れ検知センサーに関するものである。    
【背景技術】
【０００２】
近年、おむつが大小便で濡れた場合に、看護人等に直ちに報知して汚染を容易に判断することができるように内部に検知器が内蔵、又は固定された使い捨て紙おむつが実用化さている。
また、おむつとともに使用される再使用可能なおむつ濡れ検知装置も開発されている。このおむつ濡れ検知装置は、検知装置本体を汚染されたおむつから取り外して洗浄して再度の使用が可能である。
これらの使い捨て紙おむつや再使用可能な検知装置は、おむつが大小便に濡れた場合に、看護人等に直ちに報知して取り換えることができる利点がある。
しかしながら、内部に検知器が内蔵、又は固定された使い捨て紙おむつは、既存のおむつや下着・衣類等には使えない。センサーの取り付け位置を介護者が使用者の状況合わせて自由にセットすることが出来ず、使い勝手が悪い。値段が高いため使用者の経済的な負担が大きく簡単に使用できない。等の問題がある。
又、再使用可能なおむつ濡れ検知装置は、使用のたびに洗浄する必要があるため手間がかかるだけでなく、センサー自体が大きく  多機能であり、使用時に制約があり、使用者にとって不便である。等の問題等があり、製品として一般に販売されている物が非常に少ない状況にある。
【０００３】
【特許文献１】特願平２００５−３２３９８１
【特許文献２】特願平２０００−３３３９８９
【特許文献３】特願平１０−３０９９８
【発明の開示】
【発明が解決しようとする課題】
【０００４】
このような状況にあるため、小型で使い勝手が良く、使用者の経済的負担の少ないおむつの濡れ検知センサーの実現が求められている。
具体的には、センサー検知部分が小さく使いやく、取り付け位置を自由に介護者が使用者の状況合わせて、センサーを取り付けられる。
取り付け位置が自由に設定でき、おむつ（布、紙）、おむつカバー、失禁パンツ等、下着類、寝具等などに取り付ける他に、夜尿症・嘔吐など幅広く利用出来る。
本体部とセンサー部を小型、軽量、であるので携帯型にし、外出時でも使用出来る。
介護者、または使用者に知らせる方法・手段を、ランプや音にすることによって、製造コストを下げ、何度も使用出来る。
等が当面の課題となっている。
【課題を解決するための手段】
【０００５】
本発明は、上記目的を達成するために、不織紙、布等の吸水性の良い布又は紙材よりなるテープ状の長方型のセンサー基布と、センサーの基布の上面全体に塗布された粘着材と、検出器まで接続するに充分な長さに設定されているセンサー基布に装着されたセンサー導線と、該センサー導線に接続されセンサー基布に装着されたセンサー電極と、センサー導線の一端に接続されているコネクターと、センサー基布に装着されたセンサー導線とセンサー電極の上面に剥離可能に貼り付けられたハクリ紙とよりなるおむつの濡れ検知センサーを実現したものである。
本発明により、家族内及び病院等で看護人が容易に判明することができる安価な使い捨ての濡れ検知装置を提供することが可能となる。 
【発明の効果】
【０００６】
本発明のおむつの濡れ検知センサーは、 センサー検知部分が小さく使いやすいので、取り付け位置を自由に介護者が使用者の状況に合わせて、センサーを取り付けられる。
本発明のおむつの濡れ検知センサーは、センサーが独立しているために、おむつ（布、紙）、おむつカバー、失禁パンツ等、下着類、寝具等などに取り付ける他に、夜尿症・嘔吐など幅広く利用することが可能である。
本発明のおむつの濡れ検知センサーは、小型、軽量、であるので携帯型にして外出時でも使用出来る。
【発明を実施するための最良の形態】
【０００７】
図１は、本発明のおむつの濡れ検知センサーの一実施例の構成を示す説明図である。
図１において、(a)はハクリ紙を剥がした状態の上面図を、(b)はハクリ紙が付けられた状態の断面図を示す。
図１において、１０、２０は、被覆導線である。導線１０.２０には細い被覆導線が使用される。１１.１２.１３、２１.２２.２３はセンサー電極である。センサー電極１１.１２.１３、２１.２２.２３は薄い導電性の良い金属箔が使用される。３０は、導線１０、２０に接続されたコネクターで検出器の接続に使用される。４０は、テープ状の長方型の検知センサーの基布である。基布４０は、不織紙、布等の吸水性の良い布又は紙材が使用される。５０は粘着材である。６０は、ハクリ紙である。
【０００８】
センサーの基布４０の上面全体に粘着材５０が塗布されており、医療用の粘着材付きの包帯と同様に構成されている。
導線１０.２０の一端にはコネクター３０が接続され、その多端部分はセンサーの基布４０に粘着材５０を介して貼り付けられている。導線１０.２０の長さは、センサー基布４０の部分を検出器まで接続するに充分な長さに設定されている。
センサー電極１１.１２.１３、２１.２２.２３は、センサーの基布４０に粘着材５０を介して貼り付けられ、センサー電極１１.１２.１３は導線１０に接続され、センサー電極２１.２２.２３は導線２０に夫々接続されている。
センサーの基布４０に粘着材５０を介して貼り付けられた導線１０.２０と、センサー電極１１.１２.１３、２１.２２.２３の上面には剥離可能なハクリ紙６０が貼り付けられている。
【０００９】
このように構成された本発明のおむつの濡れ検知センサーの使用方法を図２により説明する。
図２は本発明のおむつの濡れ検知センサーの使用方法を説明する図である。
図２において、図１と同一の部分については同一の符号を付けてその説明を省略する。
図２において 、８０は一般に使用されている紙おむつである。３０は濡れ検知機である。濡れ検知機３０は、おむつの濡れ検知センサーの導線１０.２０の間のインピーダンスを測定することによりおむつの濡れを表示するものである。
本発明のおむつの濡れ検知センサーを取り付ける場合には、ハクリ紙６０を剥いで粘着材５０の面を、紙おむつ８０の人体に当る面に粘着材５０により貼り付け固定する。
この状態で、導線１０.２０と、センサー電極１１.１２.１３、２１.２２.２３は、紙おむつ８０の人体に当る面とセンサーの基布４０の粘着材５０が塗られていな面によりカバーされた状態となる。おむつの濡れ検知センサーの導線１０.２０のコネクター３０は濡れ検知機に接続される。
【００１０】
尚、本発明のおむつの濡れ検知センサーは、紙おむつ８０だけに適用されるものではなく、一般のおむつ（布、紙）、おむつカバー、失禁パンツ、下着・衣類等、にも適用することが可能であるが、一例として紙おむつ８０示したものである。
本発明のおむつの濡れ検知センサーは、これが装着された紙おむつ８０が、大小便に濡れた場合には、その水分がセンサーの基布４０に吸収されるため、センサーの基布４０に貼り付けられているセンサー電極１１.１２.１３と、センサー電極２１.２２.２３の間のインピーダンスが下がるので、これらのセンサーの接続されている導線１０.２０の間のインピーダンスが下がりほぼ同通の状態になる。
濡れ検知機は導線１０.２０の間のインピーダンスが下がるとこれを検出しておむつの濡れ信号を発生して家族内及び病院等で看護人に知らせることが出来る。
本発明のおむつの濡れ検知センサーは、センサーが独立しているために、おむつ類や下着・衣類等に使用することが出来、検知位置も使用者の状況に合わせて身体が起きているときは中心に、横になっている時は後ろと前、又は左右にと自由に使用者の体形・状態・状況に合わせて取り付ける事ができるので、装着した衣類や寝具を汚す心配がほとんどない。
また、センサー部の導線は特殊な細いビニール皮膜線が用いられており、直接皮膚に触れる部分はセンサーの基布４０の紙・布製で覆いわれるために、使用者の不快感や違和感を与える事が無い。
【００１１】
図３は、本発明のおむつの濡れ検知センサーが接続される検出器の一実施例の接続図である。
図３において、(a)は検出器の外観図、(b)は検出器の回路接続図をしめしたものである。
図３において、ＩＮは本発明のおむつの濡れ検知センサーのコネクター３０が結合されるセンサー信号の入力端子である。Ｅは検出器の電源、ＳＷ１は、検出器の電源スイッチである。ＯＵＴは、おむつの濡れ信号を外部の表示機器に送出するの出力端子、ＤＬはおむつの濡れを光により表示する発光ダイオードである。ＳＰはおむつの濡れを音により知らせるスピカー、ＳＷ２はスピカーのおとを断続するスピカースイッチである。  
ＩＣ、Ｔｒ１、Ｔｒ２、Ｔｒ３等は表示機器を動作させる集積回路やトランジェスタである。
表示機器は、センサー信号の入力端子ＩＮに加えられるおむつの濡れ検知センサーの
信号である端子間のインピーダンスの変化を検出してその結果を表示する。おむつの濡れにより端子間のインピーダンスが低くなると表示機器を動作させる集積回路ＩＣがこれを検出して、発光ダイオードＤＬを点灯しておむつの濡れを光により表示するとともに、スピカーＳＰを鳴らす。又、これと同時に出力端子ＯＵＴよりおむつの濡れ信号を外部の表示機器に送出する。
おむつの濡れが確認された場合には、スピカースイッチＳＷ２によりスピカーＳＰの音を止める。又、スピカーＳＰの音を鳴らすのがふさわしくない環境で表示機器を使用する場合には、あらかじめスピカースイッチＳＷ２によりスピカーＳＰの音を鳴らさないことも可能である。
【００１２】
図４は本発明のおむつの濡れ検知センサーの他の実施例の構成を示す説明図である。
図４は、おむつの濡れの状態に応じた信号を発生することが出来るようにしたおむつの濡れ検知センサーの実施例を示したものである。
図４において、(a)はハクリ紙を剥がした状態の上面図を、(b)はハクリ紙が付けられた状態の断面図を示す。
図４において、図１と同一の部分には同一の符号を付けてその説明を省略する。
図４において、
７０は、共通導電線である。共通導電線７０には細い被覆導線が使用される。７１.７２.７３、７４.７５.７６はセンサー電極である。センサー電極７１.７２.７３、７４.７５.７６は薄い導電性の良い金属箔が使用される。
導線１０.２０と共通導電線７０の一端にはコネクター３０が接続され、その多端部分はセンサーの基布４０に粘着材５０を介して貼り付けられている。導線１０.２０と共通導電線７０の長さは、センサー基布４０の部分を検出器まで接続するに充分な長さに設定されている。
センサー電極７１.７２.７３、７４.７５.７６は、センサーの基布４０に粘着材５０を介して貼り付けられ、センサー電極７１.７２.７３、７４.７５.７６は共通導電線７０に接続されている。
センサーの基布４０に粘着材５０を介して貼り付けられた導線１０.２０と共通導電線７０と、各センサー電極の上面にはハクリ紙６０が貼り付けられている。
【００１３】
このような構成の本発明のおむつの濡れ検知センサーの使用方法は図２で説明したのと基本的には同様である。
おむつの濡れ検知センサーが装着された紙おむつ８０が、大小便に濡れた場合には、その水分がセンサーの基布４０に吸収されるが、大小便の量により濡れの状態が異なっている。
紙おむつ８０の濡れが少ない場合には、センサーの基布４０の一部が濡れた状態になり、濡れが大きい場合にはセンサーの基布４０の全体が濡れた状態となる。
図４の実施例では、このようなおむつの濡れの状態に応じた信号を発生するようにしたものである。
センサーの基布４０の一部のセンサー電極１１.１２.１３の部分が濡れた状態では、センサーの基布４０に貼り付けられているセンサー電極１１.１２.１３と、共通導電線７０に接続されたセンサー電極９１.９２.９３の間のインピーダンスが下がるので、これらのセンサーの接続されている導線１０と共通導電線７０の間のインピーダンスが下がりほぼ同通の状態になる。
【００１４】
又、センサーの基布４０の一部のセンサー電極２１.２２.２３の部分が濡れた状態では、センサーの基布４０に貼り付けられているセンサー電極２１.２２.２３と、共通導電線７０に接続されたセンサー電極９４.９５.９６の間のインピーダンスが下がるので、これらのセンサーの接続されている導線２０と共通導電線７０の間のインピーダンスが下がりほぼ同通の状態になる。
又、又、センサーの基布４０の全部のセンサー電極の部分が濡れた状態では、センサーの基布４０に貼り付けられているセンサー電極、１１.１２.１３、２１.２２.２３と共通導電線７０に接続されたセンサー電極７１.７２.７３、７４.７５.７６の間のインピーダンスが下がるので、これらのセンサーの接続されている導線１０、２０と共通導電線７０の間のインピーダンスが共に下がりほぼ同通の状態になる。
濡れ検知機８０で導線１０と共通導電線７０及び導線２０と共通導電線７０の間のインピーダンスの変化を検出することにより、おむつの濡れの状態に応じた信号を発生することが出来るので、家族内及び病院等で看護人はおむつの濡れの状態に応じた処置を行うことが可能になる。
【００１５】
以上の説明より明らかなように、本発明のおむつの濡れ検知センサーは、 センサー検知部分が小さく使いやすいので、取り付け位置を自由に介護者が使用者の状況合わせて、センサーを取り付けられる。
又、本発明のおむつの濡れ検知センサーは、センサーが独立しているために、おむつ（布、紙）、おむつカバー、失禁パンツ等、下着類、寝具等などに取り付ける他に、夜尿症・嘔吐など幅広く利用することが可能である。
本発明のおむつの濡れ検知センサーは、小型、軽量、であるので携帯型にし、外出時でも使用出来る。
【図面の簡単な説明】
【００１６】
【図１】図１は、本発明のおむつの濡れ検知センサーの一実施例の構成を示す説明図である。
【図２】図２は本発明のおむつの濡れ検知センサーの使用方法を説明する図である。
【図３】図３は、本発明のおむつの濡れ検知センサーが接続される検出器の一実施例の接続図である。
【図４】図４は本発明のおむつの濡れ検知センサーの他の実施例の構成を示す説明図である。
【符号の説明】
【００１７】
１０、２０・・・被覆導線
１１.１２.１３、２１.２２.２３・・・センサー電極
３０・・・導線１０、２０に接続されたコネクター
４０・・・テープ状の長方型の検知センサーの基布
５０・・・粘着材
６０・・・ハクリ紙
７０・・・共通導電線
７１.７２.７３、７４.７５.７６・・・センサー電極
８０・・・一般に使用されている紙おむつ
ＩＮ・・・センサーのコネクター３０が結合されるセンサー信号の入力端子
Ｅ・・・検出器の電源
ＳＷ１・・・検出器の電源スイッチで
ＯＵＴ・・・おむつの濡れ信号を外部の表示機器に送出するの出力端子
ＤＬ・・・おむつの濡れを光により表示する発光ダイオード
ＳＰ・・・おむつの濡れを音により知らせるスピカー
ＳＷ２・・・スピカーのおとを断続するスピカースイッチ
ＩＣ、Ｔｒ１、Ｔｒ２、Ｔｒ３・・・表示機器を動作させる集積回路やトランジェスタ
【図１】
2010172426.tif 000003
【図２】
2010172426.tif 000004
【図３】
2010172426.tif 000005
【図４】
2010172426.tif 000006
【手続補正書】
【提出日】平成21年2月3日(2009.2.3)
【手続補正１】
【補正対象書類名】明細書
【補正対象項目名】０００２
【補正方法】変更
【補正の内容】
【０００２】
近年、おむつが大小便で濡れた場合に、看護人等に直ちに報知して汚染を容易に判断することができるように内部に検知器が内蔵、又は固定された使い捨て紙おむつが実用化さている。
また、おむつとともに使用される再使用可能なおむつ濡れ検知装置も開発されている。このおむつ濡れ検知装置は、検知装置本体を汚染されたおむつから取り外して洗浄して再度の使用が可能である。
これらの使い捨て紙おむつや再使用可能な検知装置は、おむつが大小便に濡れた場合に、看護人等に直ちに報知して取り換えることができる利点がある。
しかしながら、内部に検知器が内蔵、又は固定された使い捨て紙おむつは、既存のおむつや下着・衣類等には使えない。センサーの取り付け位置を介護者が使用者の状況に合わせて自由にセットすることが出来ず、使い勝手が悪い。値段が高いため使用者の経済的な負担が大きく簡単に使用できない。等の問題がある。
又、再使用可能なおむつ濡れ検知装置は、使用のたびに洗浄する必要があるため手間がかかるだけでなく、センサー自体が大きく  多機能であり、使用時に制約があり、使用者にとって不便である。等の問題等があり、製品として一般に販売されている物が非常に少ない状況にある。
【手続補正２】
【補正対象書類名】明細書
【補正対象項目名】０００４
【補正方法】変更
【補正の内容】
【０００４】
このような状況にあるため、小型で使い勝手が良く、使用者の経済的負担の少ないおむつの濡れ検知センサーの実現が求められている。
(1)具体的には、センサー検知部分を小さく使いやすく、取り付け位置を自由に介護者が使用者の状況に合わせて、センサーを取り付けられる。
(2)取り付け位置が自由に設定でき、おむつ（布、紙）、おむつカバー、失禁パンツ等、下着類、寝具等などに取り付ける他に、夜尿症・嘔吐など幅広く利用出来る。
(3)本体部とセンサー部を小型、軽量、であるので携帯型にし、外出時でも使用出来る。
(4)介護者、または使用者に知らせる方法・手段を、ランプや音にすることによって、製造コストを下げ、何度も使用出来る。
等が当面の課題となっている。
【手続補正３】
【補正対象書類名】明細書
【補正対象項目名】００１０
【補正方法】変更
【補正の内容】
【００１０】
尚、本発明のおむつの濡れ検知センサーは、紙おむつ８０だけに適用されるものではなく、一般のおむつ（布、紙）、おむつカバー、失禁パンツ、下着・衣類等、にも適用することが可能であるが、一例として紙おむつ８０を示したものである。
本発明のおむつの濡れ検知センサーは、これが装着された紙おむつ８０が、大小便に濡れた場合には、その水分がセンサーの基布４０に吸収されるため、センサーの基布４０に貼り付けられているセンサー電極１１.１２.１３と、センサー電極２１.２２.２３の間のインピーダンスが下がるので、これらのセンサーの接続されている導線１０.２０の間のインピーダンスが下がりほぼ導通の状態になる。
濡れ検知機は導線１０.２０の間のインピーダンスが下がるとこれを検出しておむつの濡れ信号を発生して家族内及び病院等で看護人に知らせることが出来る。
本発明のおむつの濡れ検知センサーは、センサーが独立しているために、おむつ類や下着・衣類等に使用することが出来、検知位置も使用者の状況に合わせて身体が起きているときは中心に、横になっている時は後ろと前、又は左右にと自由に使用者の体形・状態・状況に合わせて取り付ける事ができるので、装着した衣類や寝具を汚す心配がほとんどない。
また、センサー部の導線は特殊な細いビニール皮膜線が用いられており、直接皮膚に触れる部分はセンサーの基布４０の紙・布製で覆いわれるために、使用者の不快感や違和感を与える事が無い。
【手続補正４】
【補正対象書類名】明細書
【補正対象項目名】００１４
【補正方法】変更
【補正の内容】
【００１４】
又、センサーの基布４０の一部のセンサー電極２１.２２.２３の部分が濡れた状態では、センサーの基布４０に貼り付けられているセンサー電極２１.２２.２３と、共通導電線７０に接続されたセンサー電極９４.９５.９６の間のインピーダンスが下がるので、これらのセンサーの接続されている導線２０と共通導電線７０の間のインピーダンスが下がりほぼ導通の状態になる。
又、又、センサーの基布４０の全部のセンサー電極の部分が濡れた状態では、センサーの基布４０に貼り付けられているセンサー電極、１１.１２.１３、２１.２２.２３と共通導電線７０に接続されたセンサー電極７１.７２.７３、７４.７５.７６の間のインピーダンスが下がるので、これらのセンサーの接続されている導線１０、２０と共通導電線７０の間のインピーダンスが共に下がりほぼ同通の状態になる。
濡れ検知機８０で導線１０と共通導電線７０及び導線２０と共通導電線７０の間のインピーダンスの変化を検出することにより、おむつの濡れの状態に応じた信号を発生することが出来るので、家族内及び病院等で看護人はおむつの濡れの状態に応じた処置を行うことが可能になる。
【手続補正５】
【補正対象書類名】明細書
【補正対象項目名】００１５
【補正方法】変更
【補正の内容】
【００１５】
以上の説明より明らかなように、本発明のおむつの濡れ検知センサーは、 センサー検知部分が小さく使いやすいので、取り付け位置を自由に介護者が使用者の状況に合わせて、センサーを取り付けられる。
又、本発明のおむつの濡れ検知センサーは、センサーが独立しているために、おむつ（布、紙）、おむつカバー、失禁パンツ等、下着類、寝具等などに取り付ける他に、夜尿症・嘔吐など幅広く利用することが可能である。
本発明のおむつの濡れ検知センサーは、小型、軽量、であるので携帯型にし、外出時でも使用出来る。